(57)【要約】【課題】アダプタの構造を改善することにより、ワイパーブレードの交替時、アダプタとワイパーアームとの間の結合を容易にするとともに、多様な形状および大きさを有するワイパーアームに結合され得るワイパーブレードを提供する。【解決手段】ワイパーブレードに形成されたブラケットに結合され、ワイパーブレードをワイパーアームに連結させるためのワイパーブレードのアダプタであって、アダプタは、ブラケットに結合される結合溝部２２を形成するベース胴体２１と、ベース胴体２１により、互いに一体に連結される一対のベース側壁部２５とからなり、ベース胴体２１は、結合溝部２２から一方向に延長され弾性変形可能に形成された第１の支持部２３と、第１の支持部２３から一定の間隔離隔され、弾性変形可能に形成された第２の支持部２４とを有し、一対のベース側壁部２５のそれぞれは貫通孔２６を有する。【選択図】図３
0003134473.tif 000002
【実用新案登録請求の範囲】
【請求項１】
ワイパーブレードに形成されたブラケットに結合され、ワイパーブレードをワイパーアームに連結させるためのワイパーブレードのアダプタであって、
前記アダプタは、前記ブラケットに結合される結合溝部を形成するベース胴体と、前記ベース胴体により、互いに一体に連結される一対のベース側壁部とからなり、
前記ベース胴体は、前記結合溝部から一方向に延長され、弾性変形可能に形成された第１の支持部と、前記第１の支持部から一定の間隔離隔され、弾性変形可能に形成された第２の支持部とを有し、
一対の前記ベース側壁部のそれぞれは、貫通孔を有することを特徴とするワイパーブレードのアダプタ。
【請求項２】
前記第１の支持部は、結合されるワイパーアームと当接して弾性変形することにより、このワイパーアームを加圧支持するように末端に形成される加圧部を有し、
前記第２の支持部は、上方に突設された上部突起を有し、
前記ベース側壁部に形成された前記貫通孔は、外周の一部に沿って形成され、ワイパーアームの結合を案内する上部ガイドを有することを特徴とする請求項１に記載のワイパーブレードのアダプタ。
【請求項３】
前記アダプタに結合されるワイパーアームがフック型ワイパーアームである場合、ワイパーアームは、環部が前記ベース側壁部自体の内部の表面、前記ベース側壁部に一体に形成された前記上部ガイド、前記ベース胴体に一体に形成された前記結合溝部、前記第１の支持部の加圧部、および前記第２の支持部の上部突起に当接することにより、固定状態を維持可能であることを特徴とする請求項２に記載のワイパーブレードのアダプタ。
【請求項４】
前記第１の支持部は、結合されるワイパーアームと当接して弾性変形することにより、このワイパーアームを加圧支持するように末端に形成される加圧部を有し、
前記第２の支持部は、下方に突設された下部突起を有し、
前記ベース側壁部に形成された前記貫通孔は、外周の一部に沿って形成され、ワイパーアームの結合を案内する上部ガイドを有することを特徴とする請求項１に記載のワイパーブレードのアダプタ。
【請求項５】
前記アダプタに結合されるワイパーアームがフック型ワイパーアームである場合、ワイパーアームは、環部が前記ベース側壁部自体の内部の表面、前記ベース側壁部に一体に形成された前記上部ガイド、前記ベース胴体に一体に形成された前記結合溝部、前記第１の支持部の加圧部、および前記第２の支持部の下部突起に当接することにより、固定状態を維持可能であることを特徴とする請求項４に記載のワイパーブレードのアダプタ。
【請求項６】
前記アダプタに結合されるワイパーアームがサイドピン型ワイパーアームである場合、ワイパーアームは、サイドピンが前記ベース側壁部に形成された前記貫通孔に挿通した状態で、前記サイドピンが前記ベース胴体に一体に形成された前記第１の支持部により弾性支持されることにより、固定状態を維持可能であることを特徴とする請求項１に記載のワイパーブレードのアダプタ。
【請求項７】
前記ベース胴体は、前記第２の支持部から一定の間隔下方に離隔され、前記ベース側壁部の末端部分に形成された下部ガイドを有することを特徴とする請求項１に記載のワイパーブレードのアダプタ。
【請求項８】
前記ベース側壁部は、内側の表面上に緩慢に隆起されてなる凸部を有することを特徴とする請求項１に記載のワイパーブレードのアダプタ。
【請求項９】
前記ベース側壁部は、外側の表面の上端に突設され、前記ワイパーブレードの回転範囲を限定する突出部を有することを特徴とする請求項１に記載のワイパーブレードのアダプタ。
【請求項１０】
前記ベース側壁部は、前記結合溝部を中心にして同心円状に外側の表面に形成される円形突起を有することを特徴とする請求項１に記載のワイパーブレードのアダプタ。
【請求項１１】
前記アダプタは、前記アダプタに付加的に取り付けられるカバー部材をさらに含み、
前記カバー部材は、前記アダプタのベース側壁部に形成された前記貫通孔に挿入されて結合される結合突起がそれぞれ形成された一対のカバー側壁部と、一対の前記カバー側壁部を互いに一体に連結するカバー胴体とからなることを特徴とする請求項１に記載のワイパーブレードのアダプタ。
【請求項１２】
前記カバー胴体は、一方向に開口している挿入溝部と、他方向に延長され、前記アダプタの結合溝部の外周に係合される係止部とを含み、
前記カバー部材は、前記カバー側壁部に形成された結合突起が、前記貫通孔内に挿入され、前記カバー胴体の係止部が、前記結合溝部の外周に係合され、前記カバー胴体の挿入溝部が前記第１の支持部を加圧して弾性変形させた状態で、前記アダプタに結合されることを特徴とする請求項１１に記載のワイパーブレードのアダプタ。
【請求項１３】
前記アダプタに結合されるワイパーアームがバヨネット型ワイパーアームである場合、ワイパーアームは、前記挿入溝部内に挿入されることにより、固定状態を維持可能であることを特徴とする請求項１２に記載のワイパーブレードのアダプタ。
【請求項１４】
ワイパーブレードに形成されたブラケットに結合され、ワイパーブレードをワイパーアームに連結させるためのワイパーブレードのアダプタであって、
前記アダプタは、ワイパーブレード側に結合されるベース部材と、前記ベース部材に取り付けられるカバー部材とからなり、
前記ベース部材は、前記ブラケットに結合される結合溝部が形成されており、前記結合溝部から一方向に延長され、弾性変形可能に形成された第１の支持部を有するベース胴体と、前記ベース胴体により、互いに一体に連結され、貫通孔を有する一対のベース側壁部とからなり、
前記カバー部材は、前記ベース側壁部に形成された前記貫通孔に挿入されて結合される結合突起がそれぞれ形成された一対のカバー側壁部と、一対の前記カバー側壁部を互いに一体に連結するカバー胴体とからなることを特徴とするワイパーブレードのアダプタ。
【請求項１５】
前記第１の支持部は、結合される前記カバー部材と当接して弾性変形することにより、このカバー部材を加圧支持するように末端に形成される加圧部を有することを特徴とする請求項１４に記載のワイパーブレードのアダプタ。
【請求項１６】
前記ベース側壁部は、前記貫通孔の外周の一部に沿って形成され、前記ベース部材と前記カバー胴体との結合を案内する上部ガイドを含むことを特徴とする請求項１４に記載のワイパーブレードのアダプタ。
【請求項１７】
前記カバー胴体は、一方向に開口し、ワイパーアームが挿入可能な挿入溝部と、前記ベース胴体の結合溝部の外周に係合される係止部とを含むことを特徴とする請求項１４に記載のワイパーブレードのアダプタ。
【請求項１８】
前記ベース側壁部は、内側の表面上に緩慢に隆起されてなる凸部を有することを特徴とする請求項１４に記載のワイパーブレードのアダプタ。
【請求項１９】
前記ベース側壁部は、外側の表面の上端に突設され、前記ワイパーブレードの回転範囲を限定する突出部を有することを特徴とする請求項１４に記載のワイパーブレードのアダプタ。
【請求項２０】
前記ベース側壁部は、前記結合溝部を中心にして同心円状に外側の表面に形成される円形突起を有することを特徴とする請求項１４に記載のワイパーブレードのアダプタ。
【考案の詳細な説明】
【技術分野】
【０００１】
本考案は、自動車のガラス面を拭き取るワイパーブレードをワイパーアームに結合するためのワイパーブレードのアダプタに関し、より詳しくは、アダプタの構造を改善することにより、多様な種類のワイパーアームが簡便に結合されるようにしたワイパーブレードのアダプタに関する。
【背景技術】
【０００２】
一般に、自動車は、大気中の埃または気象状態に応じてガラス面が汚れると、視野が曇ってきて、安全運行に妨害されるので、運転手の安全運転のための視界確保のために、ガラス面と密着するワイパーブレードを駆動し、ガラス面を拭き取るワイパー装置が設置される。
【０００３】
通常、ワイパー装置は、車体に固定装着されたモータにより、一定の角度内で往復旋回するワイパーアームと、このワイパーアームに結合されて旋回しながら、ガラス面を拭き取るワイパーブレードと、で構成される。
【０００４】
ワイパーブレードは、通常、複数のリンク構造をなすフレームと、このフレームに結合され、自動車のガラス面に弾性的に接触するゴム材質のワイパーストリップと、フレームに形成されたブラケットに結合され、ワイパーブレードをワイパーアームに連結させるアダプタと、を備える。
【０００５】
このようなワイパーブレードは、消耗品であって、持続的な使用によりゴム材質のワイパーストリップが擦れ、または、密着力または洗浄力が低下する場合、交替して用いられ得る。ワイパーブレードは、通常、アダプタまでが結合されている状態で包装販売され、使用者は、ワイパーブレードを交替しようとするとき、アダプタを含むワイパーブレードの全体を交替するようになる。
【０００６】
ここで、アダプタは、既にワイパーブレードのブラケット内に結合されている状態であり、弾性的に変形され得ないので、結合の際に、ワイパーアームの輪部がアダプタの固定突起にかかり、ワイパーアームとワイパーブレードとの結合が行われないようになる。
【０００７】
したがって、従来は、ワイパーブレードをワイパーアームに結合させるとき、アダプタを所定の角度で回転させた状態で、ワイパーアームの輪部をアダプタに傾斜して挟み込んで結合しなければならない等、結合作業が不便かつ複雑であるという問題点があった。
【０００８】
一方、ワイパーアームは、アダプタとの連結部位の形状に応じて、フック型ワイパーアーム、サイドピン型ワイパーアーム、バヨネット型ワイパーアーム等に分けられる。
【０００９】
ところが、このようなワイパーアームの形状と大きさに応じて、ワイパーアームと結合されるアダプタの形状と大きさも変更されなければならないので、多様な形状および大きさのワイパーアームにより、それに合うアダプタをワイパーブレードの製造時、それぞれ作製または購入して保有していなければならないという問題点があった。
【考案の開示】
【考案が解決しようとする課題】
【００１０】
本考案は、上記問題点に鑑みなされたものであり、アダプタの構造を改善することにより、ワイパーブレードの交替時、アダプタとワイパーアームとの間の結合を容易にするとともに、多様な形状および大きさを有するワイパーアームに結合され得るワイパーブレードを提供することを目的とする。
【課題を解決するための手段】
【００１１】
上記の目的を達成するため、本考案の一態様によるワイパーブレードのアダプタは、ワイパーブレードに形成されたブラケットに結合され、ワイパーブレードをワイパーアームに連結させるためのワイパーブレードのアダプタであって、前記アダプタは、前記ブラケットに結合される結合溝部を形成するベース胴体と、前記ベース胴体により、互いに一体に連結される一対のベース側壁部とからなり、前記ベース胴体は、前記結合溝部から一方向に延長され、弾性変形可能に形成された第１の支持部と、前記第１の支持部から一定の間隔離隔され、弾性変形可能に形成された第２の支持部とを有し、一対の前記ベース側壁部のそれぞれは、貫通孔を有することを特徴とするワイパーブレードのアダプタが提供される。
【００１２】
ここで、前記第１の支持部は、結合されるワイパーアームと当接して弾性変形することにより、このワイパーアームを加圧支持するように末端に形成される加圧部を有することが好ましく、前記第２の支持部は、上下方にそれぞれ突設された上部および下部突起を有することが好ましく、前記ベース側壁部に形成された前記貫通孔は、外周の一部に沿って形成され、ワイパーアームの結合を案内する上部ガイドを有することが好ましい。
【００１３】
前記アダプタに結合されるワイパーアームがフック型ワイパーアームである場合、ワイパーアームは、環部が前記ベース側壁部自体の内部の表面、前記ベース側壁部に一体に形成された前記上部ガイド、前記ベース胴体に一体に形成された前記結合溝部、前記第１の支持部の加圧部、および前記第２の支持部の上部突起に当接することにより、固定状態を維持可能である。
【００１４】
また、前記アダプタに結合されるワイパーアームがフック型ワイパーアームである場合、ワイパーアームは、環部が前記ベース側壁部自体の内部の表面、前記ベース側壁部に一体に形成された前記上部ガイド、前記ベース胴体に一体に形成された前記結合溝部、前記第１の支持部の加圧部、および前記第２の支持部の下部突起に当接することにより、固定状態を維持可能である。
【００１５】
また、前記アダプタに結合されるワイパーアームがサイドピン型ワイパーアームである場合、ワイパーアームは、サイドピンが前記ベース側壁部に形成された前記貫通孔に挿通した状態で、前記サイドピンが前記ベース胴体に一体に形成された前記第１の支持部により弾性支持されることにより、固定状態を維持可能である。
【００１６】
前記ベース胴体は、前記第２の支持部から一定の間隔下方に離隔され、前記ベース側壁部の末端部分に形成された下部ガイドを有することが好ましい。
【００１７】
前記ベース側壁部は、内側の表面上に緩慢に隆起されてなる凸部を有することが好ましい。
【００１８】
前記ベース側壁部は、外側の表面の上端に突設され、前記ワイパーブレードの回転範囲を限定する突出部を有することが好ましい。
【００１９】
前記ベース側壁部は、前記結合溝部を中心にして同心円状に外側の表面に形成される円形突起を有することが好ましい。
【００２０】
また、前記アダプタは、前記アダプタに付加的に取り付けられるカバー部材をさらに含んでもよい。前記カバー部材は、前記アダプタのベース側壁部に形成された前記貫通孔に挿入されて結合される結合突起がそれぞれ形成された一対のカバー側壁部と、一対の前記カバー側壁部を互いに一体に連結するカバー胴体とからなることが好ましい。
【００２１】
ここで、前記カバー胴体は、一方向に開口している挿入溝部と、他方向に延長され、前記アダプタの結合溝部の外周に係合される係止部とを含んでなる。
【００２２】
また、前記カバー部材は、前記カバー側壁部に形成された結合突起が、前記貫通孔内に挿入され、前記カバー胴体の係止部が、前記結合溝部の外周に係合され、前記カバー胴体の挿入溝部が前記第１の支持部を加圧して弾性変形させた状態で、前記アダプタに結合可能である。
【００２３】
前記カバー部材を有する前記アダプタに結合されるワイパーアームがバヨネット型ワイパーアームである場合、ワイパーアームは、前記挿入溝部内に挿入されることにより、固定状態を維持可能である。
【００２４】
本考案のまた他の態様によると、ワイパーブレードに形成されたブラケットに結合され、ワイパーブレードをワイパーアームに連結させるためのワイパーブレードのアダプタであって、前記アダプタは、ワイパーブレード側に結合されるベース部材と、前記ベース部材に取り付けられるカバー部材とからなり、前記ベース部材は、前記ブラケットに結合される結合溝部が形成されており、前記結合溝部から一方向に延長され、弾性変形可能に形成された第１の支持部を有するベース胴体と、前記ベース胴体により、互いに一体に連結され、貫通孔を有する一対のベース側壁部とからなり、前記カバー部材は、前記ベース側壁部に形成された前記貫通孔に挿入されて結合される結合突起がそれぞれ形成された一対のカバー側壁部と、一対の前記カバー側壁部を互いに一体に連結するカバー胴体とからなることを特徴とするワイパーブレードのアダプタが提供される。
【００２５】
ここで、前記第１の支持部は、結合される前記カバー部材と当接して弾性変形することにより、このカバー部材を加圧支持するように末端に形成される加圧部を有することが好ましい。
【００２６】
また、前記ベース側壁部は、前記貫通孔の外周の一部に沿って形成され、前記ベース部材と前記カバー胴体との結合を案内する上部ガイドを含むことが好ましく、前記カバー胴体は、一方向に開口し、ワイパーアームが挿入可能な挿入溝部と、前記ベース胴体の結合溝部の外周に係合される係止部とを含むことが好ましい。
【００２７】
ここで、前記ベース側壁部は、内側の表面上に緩慢に隆起されてなる凸部を有することが好ましい。
【００２８】
また、前記ベース側壁部は、外側の表面の上端に突設され、前記ワイパーブレードの回転範囲を限定する突出部を有することが好ましい。
【００２９】
また、前記ベース側壁部は、前記結合溝部を中心にして同心円状に外側の表面に形成される円形突起を有することが好ましい。
【考案の効果】
【００３０】
本考案によると、アダプタの構造を改善することにより、ワイパーブレードの交替時、アダプタとワイパーアームとの間の結合を容易にするとともに、多様な形状および大きさを有するワイパーアームに結合され得るワイパーブレードが提供される。
【考案を実施するための最良の形態】
【００３１】
以下、本考案の好ましい実施の形態を、添付図面に基づいて詳しく説明する。
【００３２】
図１および図２には、組立状態である本考案に係るワイパーブレードのアダプタが示され、図３および図４には、前記アダプタを構成するベース部材が示され、図５および図６には、前記アダプタを構成するカバー部材が示されている。
【００３３】
また、図７乃至図１４には、前記アダプタが、それぞれフック型ワイパーアーム、また他の形態のフック型ワイパーアーム、サイドピン型ワイパーアーム、またはバヨネット型ワイパーアームに結合する様子を説明するための図が示されている。
【００３４】
図１乃至図６に示すように、本考案に係るワイパーブレードのアダプタは、ワイパーブレード側に直接結合されるベース部材２０と、必要に応じて、前記ベース部材２０に付加的に取り付けられるカバー部材３０とからなる。
【００３５】
図３および図４に示すように、前記ベース部材２０は、ワイパーブレードのブラケットに形成された結合棒（図示せず）に結合される結合溝部２２をなすベース胴体２１と、前記ベース胴体２１により、互いに一体に連結される一対のベース側壁部２５とからなる。
【００３６】
前記ベース胴体２１は、結合溝部２２から一方向（図４に示されている状態において右方向）に延長され、弾性変形可能に形成された第１の支持部２３と、前記第１の支持部２３から一定の間隔下方に離隔されて弾性変形可能に形成された第２の支持部２４とを有する。
【００３７】
前記第１の支持部２３の末端には、図４に示されている状態において右側上方に傾斜して延長され、後述するように、カバー部材３０や各種のワイパーアームと当接して、これを加圧することにより支持可能な加圧部２３ａが形成されている。
【００３８】
また、前記第２の支持部２４の上下部の表面には、それぞれ上下方に突出する楔状を有する上部および下部突起２４ａ、２４ｂが形成されている。
【００３９】
一対の前記ベース側壁部２５のそれぞれは、後述のように、サイドピン型ワイパーアームが結合される貫通孔２６を有する。また、前記貫通孔２６の上部の外周の一部に沿って形成され、後述のように、フック型ワイパーアームの結合を案内する上部ガイド２７と、前記第２の支持部２４から一定の間隔下方に離隔され、前記ベース側壁部２５の末端部分に弾性変形不可能に形成された下部ガイド２８が、一対の前記ベース側壁部２５間を連結するように形成される。
【００４０】
前記第１および第２の支持部２３及び２４は、後述のように、ベース側壁部２５自体、このベース側壁部２５に一体に形成された上部ガイド２７および下部ガイド２８等と協力して、フック型ワイパーアーム１１、１３を固定させる。
【００４１】
また、前記第１の支持部２３は、後述のように、ベース側壁部２５自体、このベース側壁部２５に形成された貫通孔２６等と協働して、サイドピン型ワイパーアーム１５を固定させる。
【００４２】
一方、図１、図２（Ａ）、及び図３に示すように、ベース側壁部２５の外側の表面には、突出部２５ａと円形突起２５ｂが形成されている。前記突出部２５ａは、ベース側壁部２５の外側の表面の上端に外側方向に突設され、ベース部材２０がワイパーブレードと結合されているとき、ワイパーブレードが一定の範囲内でのみ回転するように、その作動範囲を限定する。前記円形突起２５ｂは、結合溝部２２を中心にして同心円状にベース側壁部２５の外側の表面に複数形成され、上述のように、一定の範囲内で回転可能に結合されたワイパーブレードとベース側壁部２５との間の接触面積を減少させることにより、摩擦を抑制して一定の範囲内でワイパーブレードの自由な回転を可能にする。
【００４３】
図５および図６に示すように、前記カバー部材３０は、前記ベース部材２０の貫通孔２６に挿入されて結合される結合突起３５がそれぞれ形成された一対のカバー側壁部３４と、一対の前記カバー側壁部３４を互いに一体に連結するカバー胴体３１とからなる。
【００４４】
前記カバー胴体３１は、一方向（図６に示す状態においてカバー胴体３１の長手方向右向き）に開口し、後述のようにバヨネット型ワイパーアームが挿入されて結合可能な挿入溝部３２と、他方向（図６に示す状態においてカバー胴体３１の長手方向左側）に延長されるとともに下方に屈曲し、前記ベース部材２０のベース胴体２１、すなわち、結合溝部２２の外周に係合される係止部３３とを有する。
【００４５】
さらに図１および図２を参照すると、前記カバー部材３０は、前記ベース部材２０の両側のベース側壁部２５間に挿入されて結合される。すなわち、前記カバー部材３０のカバー側壁部３４の外側の表面は、それぞれ前記ベース部材２０のベース側壁部２５の内側の表面に密着して挿入されることにより結合される。
【００４６】
この際、前記カバー側壁部３４に形成された結合突起３５は、前記ベース側壁部２５に形成された貫通孔２６内に挿入され、前記カバー胴体３１の係止部３３は、前記ベース胴体２１の結合溝部２２の外周に係合され、前記カバー胴体３１の挿入溝部３２は、前記ベース胴体２１の第１の支持部２３を下方に加圧して弾性変形させた状態に維持される。
【００４７】
以下、図７乃至図１４を参照して、本考案に係るワイパーブレードのアダプタに、多様な形態のワイパーアーム１１、１３、１５、１７が結合される構造を説明する。
【００４８】
図７および図８には、本考案に係るワイパーブレードのアダプタが、フック型ワイパーアームに結合する様子を説明するための図が示されている。図７（Ａ）に点線で示すように、フック型ワイパーアーム１１は、アダプタに平行な方向に動き、図７（Ｂ）に示す状態で結合され得る。
【００４９】
図８に示すように、カバー部材３０が取り付けられず、ベース部材２０のみからなるアダプタに結合された状態のフック型ワイパーアーム１１は、アダプタ、すなわち、ベース部材２０のベース側壁部２５自体の内部の表面と、このベース側壁部２５に一体に形成された上部ガイド２７と、ベース部材２０のベース胴体２１に一体に形成された結合溝部２２、第１の支持部２３の加圧部２３ａ、および支持部２４の上部突起２４ａ等に環部１１ａが当接することにより、固定状態を維持することができる。
【００５０】
特に、フック型ワイパーアーム１１の環部１１ａに形成された結合孔１１ｂ内にベース胴体２１に一体に形成された第２の支持部２４の上部突起２４ａが挿入されるので、フック型ワイパーアーム１１は、さらに確実にアダプタに固定され得る。
【００５１】
また、ベース側壁部２５の内側の表面上には、内側方向に緩慢に隆起されてなる凸部２５ｃが形成されているので、ベース部材２０とワイパーアーム１１との結合時、互いに確実に密着可能にして、作動時の振動を減少させるとともに、摩擦が大き過ぎて締付けおよび取外し作業が困難となることを防止することができる。
【００５２】
図９および図１０には、本考案に係るワイパーブレードのアダプタが、また他のフック型ワイパーアームに結合する様子を説明するための図が示されている。図９および図１０に示すまた他の形態のフック型ワイパーアーム１３は、図７および図８に示すフック型ワイパーアーム１１に比べて、環部の半径が大きく、長さが長い形態を有する。図９（Ａ）に点線で示すように、フック型ワイパーアーム１３は、アダプタに並行な方向に動き、図９（Ｂ）に示す状態で結合され得る。
【００５３】
図１０に示すように、カバー部材３０が取り付けられず、ベース部材２０のみからなるアダプタに結合された状態のフック型ワイパーアーム１３は、アダプタ、すなわち、ベース部材２０のベース側壁部２５自体の内部の表面と、このベース側壁部２５に一体に形成された上部ガイド２７および下部ガイド２８と、ベース部材２０のベース胴体２１に一体に形成された結合溝部２２、第１の支持部２３の加圧部２３ａ、および第２の支持部２４の下部突起２４ｂ等に環部１３ａが当接することにより、固定状態を維持することができる。
【００５４】
特に、フック型ワイパーアーム１３の環部１３ａに形成された結合孔１３ｂ内にベース胴体２１に一体に形成された第２の支持部２４の下部突起２４ｂが挿入されるとともに、ワイパーアーム１３の末端の隅部が、図１０（Ａ）に示すように、下部ガイド２８に当接するので、フック型ワイパーアーム１３は、より安定かつ確実にアダプタに固定され得る。
【００５５】
また、ベース側壁部２５の内側の表面上には、内側方向に緩慢に隆起されてなる凸部２５ｃが形成されているので、ベース部材２０とワイパーアーム１３の結合時、互いに確実に密着可能にして、作動時の振動を減少させるとともに、摩擦が大き過ぎて締付けおよび取外し作業が困難となることを防止することができる。
【００５６】
図１１および図１２には、本考案に係るワイパーブレードのアダプタが、サイドピン型ワイパーアームに結合する様子を説明するための図が示されている。図１１（Ａ）に点線で示すように、サイドピン型ワイパーアーム１５は、アダプタに垂直な方向に動き、サイドピン１５ａがアダプタの貫通孔２６内に挿入されることにより、図１１（Ｂ）に示す状態で結合され得る。
【００５７】
図１２に示すように、カバー部材３０が取り付けられず、ベース部材２０のみからなるアダプタに結合された状態のサイドピン型ワイパーアーム１５は、サイドピン１５ａがベース部材２０のベース側壁部２５に形成された貫通孔２６に挿通した状態で、ベース胴体２１に一体に形成された第１の支持部２３により支持されることにより、固定状態を維持することができる。
【００５８】
サイドピン１５ａが挿入される瞬間には、サイドピン１５ａが通過する空間を確保可能に、第１の支持部２３を、図１２（Ｂ）からみて下方に弾性変形させる。サイドピン１５ａが貫通孔２６に完全に挿入された後は、第１の支持部２３を下方に弾性変形させた力を解除し、第１の支持部２３の上部の表面がサイドピン１５ａの外周面に当接して加圧することができる。
【００５９】
このように前記第１の支持部２３は、結合時、下方に弾性変形された後、サイドピン１５ａを上方に加圧することにより、結合状態を固定的に維持することができる。また、サイドピン１５ａをさらに確実かつ安定に維持可能に、前記第１の支持部２３のサイドピン１５ａと当接する部分は、凹状を有することが好ましい。
【００６０】
図１３および図１４には、本考案に係るワイパーブレードのアダプタがバヨネット型ワイパーアームに結合する様子を説明するための図が示されている。図１３（Ａ）に点線で示すように、バヨネット型ワイパーアーム１７は、アダプタに並行な方向に動き、図１３（Ｂ）に示す状態で結合され得る。
【００６１】
図１４に示すように、ベース部材２０にカバー部材３０を取り付けてなるアダプタに結合された状態のバヨネット型ワイパーアーム１７は、カバー部材３０の挿入溝部３２内に挿入されることにより、固定状態を維持することができる。
【００６２】
特に、前記挿入溝部３２に形成された結合孔３２ａ内にバヨネット型ワイパーアーム１７に形成された突起１７ａが挿入されるので、バヨネット型ワイパーアーム１７は、さらに確実にアダプタに固定され得る。
【００６３】
以上、本考案に係るワイパーブレードのアダプタを例示された図面を参照して説明しているが、本考案は、上述された実施例と図面により限定されず、実用新案登録請求の範囲内で、本考案が属する技術の分野における通常の知識を有する者により、様々な修正および変形が可能であることは、言うまでもない。
【図面の簡単な説明】
【００６４】
【図１】本考案に係るワイパーブレードのアダプタを示す斜視図である。
【図２】本考案に係るワイパーブレードのアダプタを示す図であって、（Ａ）は正面図、（Ｂ）は底面図、（Ｃ）は、（Ｂ）のＡ−Ａ線に沿って切断した断面図である。
【図３】本考案に係る前記アダプタを構成するベース部材を示す斜視図である。
【図４】図３に示すベース部材の断面図である。
【図５】本考案に係る前記アダプタを構成するカバー部材を示す斜視図である。
【図６】図５に示すカバー部材の断面図である。
【図７】本考案に係るワイパーブレードのアダプタが、フック型ワイパーアームに結合する様子を説明するための図であって、（Ａ）は、分離状態の斜視図、（Ｂ）は、結合状態の斜視図である。
【図８】本考案に係るワイパーブレードのアダプタが、図７のフック型ワイパーアームに結合する様子を説明するための図であって、（Ａ）は、（Ｂ）のＢ−Ｂ線に沿って切断した断面図、（Ｂ）は、結合状態の底面図である。
【図９】本考案に係るワイパーブレードのアダプタが、また他のフック型ワイパーアームに結合する様子を説明するための図であって、（Ａ）は、分離状態の斜視図、（Ｂ）は、結合状態の斜視図である。
【図１０】本考案に係るワイパーブレードのアダプタが、図９のまた他のフック型ワイパーアームに結合する様子を説明するための図であって、（Ａ）は、結合状態の平面図、（Ｂ）は、（Ａ）のＣ−Ｃ線に沿って切断した断面図である。
【図１１】本考案に係るワイパーブレードのアダプタが、サイドピン型ワイパーアームに結合する様子を説明するための図であって、（Ａ）は、分離状態の斜視図、（Ｂ）は、結合状態の斜視図である。
【図１２】本考案に係るワイパーブレードのアダプタが、サイドピン型ワイパーアームに結合する様子を説明するための図であって、（Ａ）は、結合状態の底面図、（Ｂ）は、（Ａ）のＤ−Ｄ線に沿って切断した断面図である。
【図１３】本考案に係るワイパーブレードのアダプタが、バヨネット型ワイパーアームに結合する様子を説明するための図であって、（Ａ）は、分離状態の斜視図、（Ｂ）は、結合状態の斜視図である。
【図１４】本考案に係るワイパーブレードのアダプタが、バヨネット型ワイパーアームに結合する様子を説明するための図であって、（Ａ）は、（Ｂ）のＥ−Ｅ線に沿って切断した断面図、（Ｂ）は、結合状態の底面図である。
【符号の説明】
【００６５】
１１  フック型ワイパーアーム
１１ａ  環部
１１ｂ  結合孔
１３  フック型ワイパーアーム
１３ａ  環部
１３ｂ  結合孔
１５  サイドピン型ワイパーアーム
１５ａ  サイドピン
１７  バヨネット型ワイパーアーム
１７ａ  突起
２０  ベース部材
２１  ベース胴体
２２  結合溝部
２３  第１の支持部
２３ａ  加圧部
２４    第２の支持部
２４ａ  上部突起
２４ｂ  下部突起
２５  ベース側壁部
２５ａ  突出部
２５ｂ  円形突起
２５ｃ  凸部
２６  貫通孔
２７  上部ガイド
２８  下部ガイド
３０  カバー部材
３１  カバー胴体
３２  挿入溝部
３２ａ  結合孔
３３  係止部
３４  カバー側壁部
３５  結合突起
【図１】
0003134473.tif 000003
【図２】
0003134473.tif 000004
【図３】
0003134473.tif 000005
【図４】
0003134473.tif 000006
【図５】
0003134473.tif 000007
【図６】
0003134473.tif 000008
【図７】
0003134473.tif 000009
【図８】
0003134473.tif 000010
【図９】
0003134473.tif 000011
【図１０】
0003134473.tif 000012
【図１１】
0003134473.tif 000013
【図１２】
0003134473.tif 000014
【図１３】
0003134473.tif 000015
【図１４】
0003134473.tif 000016